(57)【要約】  【課題】インデックス部を備えたファイルにおいて、インデックス部に記入された見出し内容の劣化や消滅、あるいは見出し内容を記載した見出し要素の脱落といった不具合の発生を防止ないし抑制しつつ、見出し内容を変更できるファイルを提供する  【解決手段】透光性を有したインデックス部をそれぞれ位置をずらせて設けた複数の区成シートを有し、それら区成シートの背後に見出し内容表示部を設けた背後シートを有するようにする。【選択図】図１
2018161794.tif 000002
【特許請求の範囲】
【請求項１】
透光性を有したインデックス部をそれぞれ位置をずらせて設けた複数の区成シートを有し、それら区成シートの背後に見出し内容表示部を設けた背後シートを有するファイル。
【請求項２】
複数の資料収納空間が前記区成シートにより区成されてなり、
前記インデックス部は、前記資料収納空間を区成する後方側の区成シートに設定されている請求項１記載のファイル。
【請求項３】
前記複数の区成シートは、表紙と前記背後シートとの間に配されており、
前記インデックス部は、前記表紙及び前記区成シートの外縁から突出して設けられている請求項１又は２記載のファイル。
【請求項４】
前記見出し内容表示部は、前記背後シートと、この背後シートに付箋貼付領域を確保した状態で溶着された透光性を有するカバーシートとを具備している請求項１、２又は３記載のファイル。
【請求項５】
前記付箋貼付領域が、それぞれに付箋を貼付可能な複数の付箋貼付部を備えたものであり、各付箋貼付部に付箋の貼付位置を示す目印線が設けられている請求項４記載のファイル。
【請求項６】
前記カバーシートが、前記付箋貼付部の境界に対応する部位に外縁に開放された切込みをそれぞれ備えている請求項５記載のファイル。
【請求項７】
前記背面シートが、前記外縁の各付箋貼付部に対応する部位に凹欠部を備えている請求項５又は６記載のファイル。
【発明の詳細な説明】
【技術分野】
【０００１】
本発明は、インデックス部を備えたファイルに関する。
【背景技術】
【０００２】
従来、この種のファイルとして、インデックス部を有する複数の区成シートを備え、これら区成シートにより区成された各ページに各種の資料を保管しておくことができるようにしたものが知られている（例えば、特許文献１を参照）。
【０００３】
ところが、特許文献１に記載されたファイルは、検索時に使用者が直接触れるインデックス部に見出し内容を鉛筆やボールペン等により書き込むようにしている。そのため、見出し内容が劣化したり消えたりすることがあり、また、消えない筆記具で記載した場合には記載内容を変更することが難しいという問題がある。
【０００４】
一方、各区成シートに見出し要素を収容した見出し要素収納部を設けたものも知られている（例えば、特許文献２を参照）。
【０００５】
ところが、この特許文献２に記載されたファイルは、検索時に使用者が直接触れる部位に見出し要素収納部を設けているため、ページをめくる際に、見出し要素収納部に指を掛けることで予期せぬ外力がかかり見出し要素が見出し要素収納部から脱落する不具合が起こりやすいという不具合がある。
【先行技術文献】
【特許文献】
【０００６】
【特許文献１】登録実用新案公報第３１７７５４８号
【特許文献２】特開２００５−９６１６３号公報
【発明の概要】
【発明が解決しようとする課題】
【０００７】
本発明は以上の点に着目し、記入された見出し内容の劣化や消滅、あるいは見出し内容を記載した見出し要素の脱落といった不具合の発生を防止ないし抑制しつつ、見出し内容を変更できるファイルを提供することを目的とする。
【課題を解決するための手段】
【０００８】
請求項１記載の発明に係るファイルは、透光性を有したインデックス部をそれぞれ位置をずらせて設けた複数の区成シートを有し、それら区成シートの背後に見出し内容表示部を設けた背後シートを有する。
【０００９】
請求項２記載の発明に係るファイルは、請求項１記載の構成のものにおいて、複数の資料収納空間が前記区成シートにより区成されてなり、前記インデックス部が、前記資料収納空間を区成する後方側の区成シートに設定されているものである。
【００１０】
請求項３記載の発明に係るファイルは、請求項１又は２記載の構成のものにおいて、前記複数の区成シートが、表紙と前記背後シートとの間に配されており、前記インデックス部が、前記表紙及び前記区成シートの外縁から突出して設けられているものである。
【００１１】
請求項４記載の発明に係るファイルは、請求項１、２又は３記載の構成のものにおいて、前記見出し内容表示部が、前記背後シートと、この背後シートに付箋貼付領域を確保した状態で溶着された透光性を有するカバーシートとを具備しているものである。
【００１２】
請求項５記載の発明に係るファイルは、請求項４記載の構成のものにおいて、前記付箋貼付領域が、それぞれに付箋を貼付可能な複数の付箋貼付部を備えたものであり、各付箋貼付部に付箋の貼付位置を示す目印線が設けられているものである。
【００１３】
請求項６記載の発明に係るファイルは、請求項５記載の構成のものにおいて、前記カバーシートが、前記付箋貼付部の境界に対応する部位に外縁に開放された切込みをそれぞれ備えているものである。
【００１４】
請求項７記載の発明に係るファイルは、請求項５又は６記載の構成のものにおいて、前記背面シートが、前記外縁の各付箋貼付部に対応する部位に凹欠部を備えているものである。
【００１５】
なお、上記各請求項に係る発明において、「透光性を持った」とは、見出し内容表示部の内容を外部から視認することができる性質を持ったもの全般を意味しており、例えば、見出し内容表示部に収容された見出し要素に記載された内容を全て外部から解読できるような透明性を有するものだけでなく、見出し要素の色や記号などを外部から判別できる程度のすりガラス的な半透明性を有するもの、あるいは、不透明なシート素材に網目や窓を形成したものなどが含まれる。
【００１６】
「区成シートの背後」とは、使用者から見て区成シートよりも向こう側を示す概念である。
【発明の効果】
【００１７】
本発明によれば、記入された見出し内容の劣化や消滅、あるいは見出し内容を記載した見出し要素の脱落といった不具合の発生を防止ないし抑制しつつ、見出し内容を変更できるファイルを提供できる。
【図面の簡単な説明】
【００１８】
【図１】本発明の一実施形態に係るファイルを示す斜視図。
【図２】同実施形態に係るファイルを示す正面図。
【図３】図２におけるＡ−Ａ断面を概略的に示す拡大図。
【図４】同実施形態に係るファイルの表表紙、裏表紙及びカバーシートを示す展開図。
【図５】同実施形態に係る区成シート束を示す正面図。
【図６】同実施形態に係る区成シート束を構成するシート素材を展開して示す図。
【図７】同実施形態に係る区成シート束の制作手順を示すための図。
【図８】同実施形態に係る区成シート束の制作手順を示すための図。
【図９】同実施形態に係る区成シート束の制作手順を示すための図。
【図１０】同実施形態に係るファイルの要部を拡大して示す斜視図。
【発明を実施するための形態】
【００１９】
本発明の一実施形態に係るファイルを、図1〜図１０を参照しつつ以下に述べる。
【００２０】
このファイル１は、図１〜図３に示すように、透光性を有したインデックス部３をそれぞれ位置をずらせて設けた複数の区成シート２ａ〜２ｄを有し、それら区成シート２ａ〜２ｄの背後に見出し内容表示部４を設けた背後シートを有する。そしてこのファイル１は、複数の資料収納空間Ｓが前記区成シート２ａ〜２ｄにより区成されてなり、前記インデックス部３は、前記資料収納空間Ｓを区成する後方側の区成シート２ａ〜２ｄにそれぞれ設定されている。
【００２１】
詳述すれば、このファイル１は、図１及び図３に示すように、表紙たる表表紙５と、背後シートたる裏表紙６との間に、複数の区成シート２ａ〜２ｄが配されたものである。前記インデックス部３は、図１〜図３に示すように、前記区成シート２ａ〜２ｄの外縁２ａ１〜２ｄ１から突出して設けられている。
【００２２】
前記見出し内容表示部４は、図１、図３及び図９に示すように、前記インデックス部３の背後に位置するようにして前記裏表紙６側に設けられている。すなわちこの見出し内容表示部４は、前記裏表紙６と、この裏表紙６に付箋貼付領域Ａを確保した状態で溶着された透光性を有するカバーシート７とを具備してなるものである。前記付箋貼付領域Ａは、それぞれに付箋Ｍを貼付可能な複数の付箋貼付部Ａ１を備えたものである。表表紙５側からインデックス部３を介さずに視認可能な端の付箋貼付部Ａ１を除く他の付箋貼付部Ａ１は、各インデックス部３の背後にそれぞれ位置させてある。
【００２３】
換言すれば、このファイル１は、第一のシートである裏表紙６と、この表紙の外縁側の領域すなわち開放端部領域に配された第二のシートであるカバーシート７との間に、複数の付箋Ｍを貼り付け可能な付箋貼付部Ａ１を設けてなり、前記カバーシート７が透光性を有している。前記付箋貼付部Ａ１は、前記裏表紙６及び前記カバーシート７における開放端側すなわち外縁側に開口している。
【００２４】
具体的には、図１、図３、図９及び図１０に示すように、前記裏表紙６と前記カバーシート７との溶着部Ｙ１よりも開放端側に前記付箋貼付領域Ａが形成されており、前記付箋貼付領域Ａに貼り付けられた付箋Ｍが、前記裏表紙６と前記カバーシート７との間に挟まれ得るように構成されている。前記裏表紙６の付箋貼付領域Ａは、当該裏表紙６の開放端とこの開放端に略平行な仮想線ｉ１との間に位置するものであり、前記溶着部Ｙ１が前記仮想線ｉ１上に設定されている。
【００２５】
前記各付箋貼付部Ａ１には、前記付箋Ｍを貼るための目印線ｍ１がそれぞれ設けられている。
【００２６】
また、前記カバーシート７には、図１、図３、図９及び図１０に示すように、付箋Ｍの貼付作業を容易にするために、前記付箋貼付部Ａ１の境界に対応する部位に外縁に開放された切込み７ａがそれぞれ備えられている。一方、前記裏表紙６には、前記カバーシート７の各付箋貼付部Ａ１に対応する部位を前面側にめくりやすくするために、その外縁の各付箋貼付部Ａ１に対応する部位に凹欠部６ａを備えている。
【００２７】
このファイル１の詳細を製作手順に沿って説明すると、次のとおりである。まず、図４に展開して示すように、共通のシート素材Ｓ１の中央に谷折り線Ｌ０を設定して表表紙５と裏表紙６とに区画し、裏表紙６の開放端（外縁６ａ）側にカバーシート７を溶着部Ｙ１において溶着する。一方、図６に展開して示すように、共通のシート素材Ｓ２に１本の切込み線Ｌ４と３本の谷折り線Ｌ１〜Ｌ３とを設定して第１〜第４の区成シート２ａ〜２ｄを形成する。次いで、図７に示すように、第１の谷折り線Ｌ１を折り曲げて第２の区成シート２ｂと第３の区成シート２ｂとを重ね合わせた上で、図８に示すように、第２の谷折り線Ｌ２を折り曲げて、第２〜第４の区成シート２ｂ〜２ｄを重ね合わせる。しかる後に、第３の谷折り線Ｌ３を折り曲げて、第１〜第４の区成シート２ａ〜２ｄを全て重ね合わせて、図５に示すような区成シート束２Ｘを形成する。そして、この区成シート束２Ｘの例えば右側縁を図９に示すように裏表紙６の内面側に配置した上で、表表紙５を谷折り線Ｌ０を介して区成シート束２Ｘの前面側に重ね合わせ、この表表紙５の例えば図中における右側縁と前記裏表紙６の右側縁とによって前記区成シート束２Ｘの右側縁を挟み込み、その挟み込み部分を溶着部Ｙ２において溶着することによりこのファイル１が完成する。
【００２８】
次いで、このファイル１の使用形態について説明する。
【００２９】
このファイル１は、図１、図２及び図１０に示すように、表表紙５側から観察した場合、各区成シート２の透明なインデックス部３を通して、見出し内容表示部４を視認することができる。そのため、見出し内容表示部４に各インデックス部３に対応する見出し内容を記載した付箋Ｍを貼り付けておけば、各インデックス部３に直接見出し内容が記載されているのと同じような感覚で各区成シート２間に収容されている資料の内容を認識することができる。すなわち、各インデックス部３の背後の見出し内容表示部４に貼り付けられた付箋Ｍに書かれた文字を読み取ることにより、区成シート２により区成されたページの識別を行うことができる。なお、このファイル１においては、インデックス部３を通して表示される見出し内容の資料は、当該インデックス部３が配されている区成シート２の前面側に収納されるようにしてあるので、そのインデックス部３を裏表紙６方向に押し付けるように操作することにより、所望の資料を前記インデックス部３に対応した資料収納空間Ｓに対して出し入れすることができる。すなわち、インデックス部３を押さえることで、その資料が入ったページを開くことができる。
【００３０】
見出し内容表示部４に対する付箋Ｍの貼り付けや交換は、図１０に概略を示すように、カバーシート７を前面側に変形させることにより行うことができる。すなわち、カバーシート７の各付箋貼付部Ａ１に対応する部位は、前記切込み７ａにより相互に略独立した形で前面側に変形させることができるため、カバーシート７の対応する部分を前面側にめくって変形させることにより、付箋貼付部Ａ１に対して付箋Ｍを貼り付けたり他の付箋Ｍと取り換えたりすることができる。この実施形態では、各付箋貼付部Ａ１に対応する裏表紙６の外縁すなわち開放端に凹欠部６ａが設けてあるため、カバーシート７の外縁に指を掛けてめくる操作を容易に行うことができる。カバーシート７に対する操作をやめると、カバーシート７が元の平面状態に自己復帰するため、付箋貼付部Ａ１に貼り付けられた付箋Ｍは、カバーシート７と裏表紙６との間に挟持されることになる。そのため、付箋Ｍが不用意に脱落することを防止することができる。
【００３１】
すなわち、このような構成のものであれば、インデックス部３に直接見出し内容を記載する場合のように文字が消えるという不具合や一度書いた文字を変更することが難しいという不具合をなくすことができる。すなわち、このファイル１では、直接使用者が触れるインデックス部３には見出し内容が一切書かれていないため、見出し内容の劣化や消滅がない。しかも、見出し内容表示部４に保持された付箋Ｍを取り換えれば、見出し内容を変更することも容易である。さらに、このようなものであれば、直接使用者が触れるインデックス部３に付箋Ｍを保持させる場合に比べて、付箋Ｍが脱落する不具合が起こりにくい。
【００３２】
また、本実施形態では、複数の区成シート２ａ〜２ｄが、表表紙５と裏表紙６との間に配されており、インデックス部３が、前記表表紙５及び前記区成シート２ａ〜２ｄの外縁５ａ、２ａ１〜２ｄ１から突出して設けられているとともに、前記インデックス部３の背後にある見出し内容表示部４も前記表表紙５及び前記区成シート２ａ〜２ｄの外縁５ａ、２ａ１〜２ｄ１から突出しているので、このファイル１を棚等に収納した際に前記インデックス部３を通して見出し内容表示部４の表示内容（付箋Ｍの記載内容）を視認すること、並びにこの表示内容に基づき資料を検索することが容易である。
【００３３】
さらに、本実施形態では、前記見出し内容表示部４は、前記裏表紙６と、この裏表紙６に付箋貼付領域Ａを確保した状態で溶着された透光性を有するカバーシート７とを具備しているので、前述したように、付箋貼付領域Ａに貼付された付箋Ｍの記載内容を、前記インデックス部３及びカバーシート７を透かして視認することができる。
【００３４】
加えて、本実施形態では、前記付箋貼付領域Ａが、それぞれに付箋Ｍを貼付可能な複数の付箋貼付部Ａ１を備えており、各付箋貼付部Ａ１に付箋Ｍの貼付位置を示す目印線ｍ１が設けられているので、この目印線ｍ１に合わせて付箋を貼付することで、付箋Ｍをカバーシート７により確実に保護させるようにできるとともに、付箋Ｍを貼付した状態での見栄えの向上をも図ることができる。
【００３５】
そして、本実施形態では、複数枚の区成シート２ａ〜２ｄが、共通のシート素材Ｓ２を折りたたんでなる一体品であるので、より少ない部品点数でこのようなファイル１を実現することができる。
【００３６】
なお、本発明は以上に述べた実施形態に限らない。
【００３７】
例えば、上述した実施形態では、背後シートが裏表紙であるが、表表紙と裏表紙との間に配した見出しシートを背後シートとする態様を採ることもできる。
【００３８】
また、上述した実施形態では、前記見出し内容表示部が、第一のシートである背表紙と、この背表紙の外縁に沿った開放端部領域に配された第二のシートであるカバーシートとの間に、複数の付箋を貼り付け可能な付箋貼付部を設けてなり、前記背表紙及びカバーシートの双方が透光性を有するものであるが、カバーシート（第二のシート）のみが透光性を有するものであってもよく、また、背表紙（第一のシート）のみが透光性を有するものであってもよい。さらに、見出し内容表示部の第一及び第二のシートの一方又は双方が、見出し内容の色や記号の形などを外部から判別できる程度のすりガラス的な半透明性を有するもの、あるいは、不透明なシート素材に網目や窓を形成したものであってもよい。
【００３９】
加えて、上述した実施形態では、裏表紙の開放端外縁に、第一のシートたる裏表紙の基端と裏表紙に重なり合う第二のシートたるカバーシートの基端とを止着し、前記第一のシート（裏表紙）の内面に複数の付箋を貼り付けるための付箋貼付部を設けているが、第二のシート（カバーシート）側に付箋を貼り付けるようにしてもよい。さらに、第二のシート（カバーシート）に透光性を備えさせた上で、第一のシート（裏表紙）の該当部分すなわち第二のシート（カバーシート）の背後となる部分に見出し内容を直接記入する態様を採用してもよい。
【００４０】
さらに、上述した実施形態では、付箋貼付部が複数設けられており、付箋貼付部に対して付箋を貼り付けたり他の付箋と取り換えたりすることを行いやすくすべく、カバーシートにおける付箋貼付部の境界に対応する部位に外縁に開放された切込みがそれぞれ設けられており、カバーシートの外縁に指を掛けてめくる操作を容易に行うことができるようにすべく、背面シート（裏表紙）における前記外縁の各付箋貼付部に対応する部位に凹欠部を備えるようにしている。しかしながら、これらカバーシートの切込み又は背面シートの凹欠部の一方のみを設ける態様や、前記切込み及び凹欠部の双方を省略する態様を採用してもよい。
【００４１】
そして、上述した実施形態では、複数枚の区成シートを、共通のシート素材を折りたたんでなる一体品として構成しているが、もちろん、複数枚のシート素材を重ね合わせて区成シート束を形成するようにしてもよい。
【００４２】
その他、本発明の趣旨を損ねない範囲で種々に変更してよい。
【符号の説明】
【００４３】
１…ファイル
２ａ〜２ｄ…区成シート
３…インデックス部
４…見出し内容表示部
【図１】
2018161794.tif 000003
【図２】
2018161794.tif 000004
【図３】
2018161794.tif 000005
【図４】
2018161794.tif 000006
【図５】
2018161794.tif 000007
【図６】
2018161794.tif 000008
【図７】
2018161794.tif 000009
【図８】
2018161794.tif 000010
【図９】
2018161794.tif 000011
【図１０】
2018161794.tif 000012